(57)【特許請求の範囲】
【請求項１】
ヨークと、支持鉄心と、固定端板と、磁気遮断シートと、永久磁石と、回転軸とからなる、永久磁石とヨークとの組合せ構造において、
支持鉄心は回転軸に外挿され、ヨークは支持鉄心の外側に配置され、永久磁石はヨークの外側に配置され、固定端板は支持鉄心、ヨーク及び永久磁石の軸方向両端に組み合わせられ、
ヨークの外囲において磁極数により相応数量の蟻溝が設置され、内円表面において設けられた、ラジアルトルクを受けるV字状歯が、支持鉄心の外径に支持され、支持アームは支持鉄心の外径に複数等分に設置され、ラジアルトルクを受けるように支持アームの端部にV字状溝が設置され、固定端板に設置される磁極数と同様の本数のダブル蟻継ぎロックシートが固定端板の外径に配列され、磁気遮断シートは非磁性材料でモールドによってV字状に加工され、ヨークのV字状歯とV字状溝を有する支持アームとの間のV字状の隙間に取り付けられる、ことを特徴とする永久磁石とヨークとの組合せ構造。
【請求項２】
ヨークの外円に複数等分の蟻溝が設置される、ことを特徴とする請求項１に記載の永久磁石とヨークとの組合せ構造。
【発明の詳細な説明】
【技術分野】
【０００１】
本発明は永久磁石モータ用ローターの構造に関し、特に永久磁石とヨークとの組合せ構造に関する。
【背景技術】
【０００２】
現行技術においては、永久磁石はローターの磁極として非常によく見られ、永久磁石を固着するため、従来の方法は大体２種類ある。第１種は貼着方式を採用し、接着剤によって永久磁石とローターの鉄心を貼着する。該技術方法による装着の既知の欠点は下記通りである。１．接着剤が均等に塗布されなく、永久磁石の表面が完全に洗浄されなく、固化時間が不足であり、固化温度が適当に把握できなく、信頼性が悪く、温度が高過ぎ又は低すぎることにより接着剤が失効し、永久磁石が脱落し、モータが壊れることによって酷い結果をもたらす。第２種はワンステップ高分子射出を採用する。該方法の既知の欠点は下記通りである。射出成形機と極めて複雑な成形モールドとを使用する必要があるため、設備とモールドの投入コストが極めて高い。しかし主な問題は、成形後一部の永久磁石に隠形割れ目が出て、厳重に磁気性能に影響し、組み立て後のローターがもし悪い環境下に使用すると、高低温衝撃試験が必要となり、合格率が低いことである。上記２方法ともに加工技術の難度が高く、位置精度を保証することができなく、組み立て後ローターの平衡精度が低いなどの欠点を有する。ローターの不平衡を除去するため増える校正作業のコストが高く、市場において高品質の永久磁石モータの価格が高い傾向は形成される。
【発明の概要】
【０００３】
本発明は永久磁石とヨークとの組合せ構造を提供することにより旧製品に存在する欠点を克服することを目的とし、下記の通り実現される。ヨークと、支持鉄心と、固定端板と、磁気遮断シートと、永久磁石と、回転軸とからなる、永久磁石とヨークとの組合せ構造は、ヨークの外囲において磁極数により相応数量の蟻溝が設置され、内円表面において設けられた、ラジアルトルクを受けるV字状歯が、支持鉄心の外径に支持され、支持アームは支持鉄心の外径に複数等分に設置され、ラジアルトルクを受けるように支持アームの端部にV字状溝が設置され、固定端板に設置される磁極数と同様の本数のダブル蟻継ぎロックシートが固定端板の外径に配列され、磁気遮断シートは非磁性材料でモールドによってV字状に加工され、ヨークのV字状歯とV字状溝を有する支持アームとの間のV字状の隙間に取り付けられる。
【０００４】
永久磁石の形状は電磁気設計の需要により定められ、回転軸は顧客の要求により設計される。上記の各構造部品から新規発明の永久磁石のローター構造が構成される。該発明は永久磁石の校正免除を保証し、且つ永久磁石とヨークとの組合せが便利で、投入コストも低く、隠れた問題がないほど信頼でき、組み合わされた永久磁石のローターは厳格な超速試験と高低温衝撃試験とをパスすることを保証でき、真の意味でモータの耐用性を保証する。
【図面の簡単な説明】
【０００５】
【図１】本発明のヨーク部品である。
【図２】本発明の支持鉄心である。
【図３】本発明の固定端板である。
【図４】本発明の磁気遮断シートである。
【図５】本発明の永久磁石である。
【図６】本発明の回転軸である。
【図７】本発明の構造見取り図である。
【発明を実施するための形態】
【０００６】
以下図面を参照しながらさらに説明する。
【０００７】
本発明のモータ用永久磁石とヨークとの組合せ構造は図１に示したように、ヨークの外円表面に蟻溝（図１のａ）が設置され、溝毎に固定端板上のダブル蟻ほぞのうちの１つの蟻ほぞが挿入され、永久磁石を組み立てるようにヨークの外円表面において磁極数と同様数量の永久磁石カビティが形成される。内孔の表面に設置されるV字状歯（図１のｂ）はローターがラジアル分力を受けることと位置決めとに用いられる。相隣する両V字状歯の中間に位置決め用の長方形の凸型台（図１のｃ）が設置され、位置決めの役割も立ち、一部のラジアル分力を受けることもできる。図２に示した支持鉄心の外径に設置される支持アームのアーム端末のV字状溝は、主にローターのラジアルトルクを受けることに用いられ、磁気遮断シートを挿し入れた後、磁束が支持鉄心へ流れることを阻害でき、ラジアル位置決めの役割も有する。図３に示した固定端板の外径円周に設置されるダブル蟻ほぞ（図３のａ）は、１端の蟻ほぞがヨークの蟻溝に挿入され、蟻継ぎシートを係止し、もう１端の蟻ほぞが永久磁石がヨークに貼り付けられるように相隣する両永久磁石を係止する。固定端板の内側平面において、ヨークの内壁形状と支持鉄心の外部形状によって中空凸型台（図３のｂ）が設置され、ヨークと支持アームとの隙間を充填し、ラジアルトルクを受けることと位置決めとの役割が立つ。両端の固定板の厚さは１ｍｍに設置され、永久磁石の軸方向滑動を阻止できる。固定端板の外側に一体化のシャフトスリーブを有し、回転軸との組合せによって固定板を安定させ、ヨークが組み立てた後に両端が軸方向において移動できないことを保証するようにシャフトスリーブの内壁にバックストップ巻きバネが設置される。図４に示した磁気遮断シートは、ヨークと支持鉄心の中間に取り付けられ、主にヨーク中の磁束が支持鉄心へ流れることを阻害して、モータの鉄損を低減することに用いられる。ヨークと支持鉄心との隙間に従って適した厚さの磁気遮断シートを作成し、ヨークの外円と回転軸との同軸度を保証でき、ローターの平衡精度を高める。具体的に実施するとき、図７に示したモータ用永久磁石とヨークとの組合せ構造の取り付け方法は下記の通りである。
【０００８】
１、図７の方法通り各構成部品を順序により組合せ、精密プレスを介して平らに押圧させればいい。
【０００９】
２、組み立てられたローターの同軸度を保証するように、組み立てるとき、磁気遮断シートを手で推し入れる。
【符号の説明】
【００１０】
１  固定端板
２  固定端板
３  回転軸
４  支持鉄心
５  ヨーク部品
６  永久磁石
７  磁気遮断シート
【図１】
0005509140.tif 000002
【図２】
0005509140.tif 000003
【図３】
0005509140.tif 000004
【図４】
0005509140.tif 000005
【図５】
0005509140.tif 000006
【図６】
0005509140.tif 000007
【図７】
0005509140.tif 000008